(57)【要約】【課題】あおり歩行を行うことができる履物を提供する。【解決手段】本実施形態に係る履物は、一方の面に、足底を支持する面を備える足底基部と、足底基部の他方の面に設けられ、足底基部に支持される足底の前足部近傍を支持する位置に突出して形成された前足部支持部と、足底基部の他方の面に設けられ、足底基部に支持される足底の踵近傍を支持する位置に突出して形成された踵支持部と、前足支持部と前記踵支持部との間における領域の一部から突出して形成された連続部とを含み構成されている。履物は、前足部支持部と踵支持部と連続部とが連続する接地面を形成しており、その接地面は滑らかな凸曲面をなしている。【選択図】図１
2016137022.tif 000002
【特許請求の範囲】
【請求項１】
一方の面に、足底を支持する面を備える足底基部と、
前記足底基部の他方の面に設けられ、該足底基部に支持される足底の前足部近傍を支持する位置に突出して形成された前足部支持部と、
前記足底基部の他方の面に設けられ、該足底基部に支持される足底の踵近傍を支持する位置に突出して形成された踵支持部と、
前記前足部支持部と前記踵支持部との間における領域の一部から突出して形成された連続部と
を有し、
前記前足部支持部と前記踵支持部と前記連続部とが連続する接地面を形成している
履物。
【請求項２】
前記足底基部と前記前足部支持部と前記踵支持部と前記連続部とが木材で一体的に形成されている
請求項１に記載の履物。
【請求項３】
前記前足部支持部と前記踵支持部と前記連続部との形成する接地面は滑らかな凸曲面をなしている
請求項２に記載の履物。
【請求項４】
前記連続部は、前記足底基部の幅方向のうち、該足底基部の中心より外側となる位置に形成されている
請求項３に記載の履物。
【発明の詳細な説明】
【技術分野】
【０００１】
本発明は、履物に関するものである。
【背景技術】
【０００２】
例えば、特許文献１では、靴底（２）の接地面側に突起を備えた履物において、爪先部に蹴り出し突起（３）と、踏付け部及び踵部に下駄歯状突起（４、４’）を配置し、該下駄歯状突起（４、４’）の後方端部（４２、４２’）の外側を足の長軸（Ｌ）の垂線に対して前方に向けて５〜１２°の傾斜角度（α）を設けたことを特徴とする履物が開示されている。
【０００３】
また、特許文献２では、第１足指は、歩行時に、踏み返し作用があり、これが無いと正常の歩行はしにくい。下駄は、第１足指部の下の接地部に下駄の歯がなく踏み返し作用が充分でない。第１足指の略、下の接地部に下駄の歯を作り、踏み返し作用の改善をまし、歩行を容易にする下駄が開示されている。
【先行技術文献】
【特許文献】
【０００４】
【特許文献１】特開２００４―７３５５４号公報
【特許文献２】特開２００１―７８８０１号公報
【発明の概要】
【発明が解決しようとする課題】
【０００５】
本発明は、あおり歩行を行うことができる履物を提供することを目的とする。
【課題を解決するための手段】
【０００６】
本発明に係る履物は、一方の面に、足底を支持する面を備える足底基部と、前記足底基部の他方の面に設けられ、該足底基部に支持される足底の前足部近傍を支持する位置に突出して形成された前足部支持部と、前記足底基部の他方の面に設けられ、該足底基部に支持される足底の踵近傍を支持する位置に突出して形成された踵支持部と、前記前足部支持部と前記踵支持部との間における領域の一部から突出して形成された連続部とを有し、前記前足部支持部と前記踵支持部と前記連続部とが連続する接地面を形成している。
【０００７】
好適には、前記足底基部と前記前足部支持部と前記踵支持部と前記連続部とが木材で一体的に形成されている。
【０００８】
好適には、前記前足部支持部と前記踵支持部と前記連続部との形成する接地面は滑らかな凸曲面をなしている。
【０００９】
好適には、前記連続部は、前記足底基部の幅方向のうち、該足底基部の中心より外側となる位置に形成されている。
【発明の効果】
【００１０】
本発明によれば、あおり歩行を行うことが期待できる。
【図面の簡単な説明】
【００１１】
【図１】本実施形態に係る履物１を例示する斜視図である。
【図２】図１に例示する台２及び歯３の構成を例示する図である。
【図３】歩行時における履物１のあおり歩行動作を説明する図である。
【図４】図３（ａ）における履物１の踵支持部３ｂ近傍の接地面領域、及び、足底支持部２ａに支持された足底にかかる荷重領域を例示する図である。
【図５】図３（ｂ）における履物１の連続部３ｃ近傍の接地面領域、及び、足底支持部２ａに支持された足底にかかる荷重位置を例示する図である。
【図６】、図３（ｃ）における履物１の前足部支持部３ａ近傍の接地面領域、及び足底支持部２ａに支持された足底にかかる荷重位置を例示する図である。
【図７】図３における歩行時の体重移動の軌跡を説明する図である。
【発明を実施するための形態】
【００１２】
まず、本実施形態に係る構成を説明する。
以下、本発明に係る実施形態の構成を、図面を参照して説明する。ただし、本発明の範囲は、図示例に限定されるものではない。具体的には、本実施形態に係る履物１は、必ずしも連続面状の甲被覆部を有する履物だけに限定されない。例えば、サンダルのように、紐状、帯状、又は、網状の甲被覆部を有する履物であっても、本発明の技術的範囲に含まれるものとする。また、本実施形態では、説明の便宜上、左足用の履物を中心に説明するが、左足用と右足用は略左右対称であり、右足用においても、左足用と同様の構成を採用することができるものとする。
【００１３】
［履物１］
図１は、本実施形態に係る履物１を例示する斜視図である。
図１に例示するように、履物１は、台２、歯３、底部４、及び、緒６を含み構成されている。履物１は、台２のうち着用者の足底を支持する面（足底支持部２ａ）を備える方に緒６を取り付けられ、その他方である台２の裏面に歯３（前足部支持部３ａ、踵支持部３ｂ、及び、連続部３ｃ）を形成されている。また、履物１は、歯３の接地面に底部４を取り付けられている。
本実施例の履物１は、例えば下駄である場合を一具体例として説明する。履物１は、いわゆる２枚歯下駄の前方の歯の一部と、後方の歯の一部とを連続部３ｃで連続させた（前方の歯と、後方の歯と、連続部３ｃとの）接地面を備えている。連続部３ｃは、前方の歯の一部から後方の歯の一部を連続させた接地面を形成している。
【００１４】
［台２］
台２は、本発明に係る足底基部の一例である。
図１に例示するように、台２は、足底支持部２ａ、及び、貫通孔２ｂを含み構成されている。台２は、例えば、板状であり、木材で構成されている。具体的には、台２は、歩行時における足にかかる床反力を軽減する性質を備える木材が好適である。
足底支持部２ａは、台２の一方の面に設けられ、着用者の足底を支持する面である。足底支持部２ａは、足底の凹凸形状に合わせて凹凸や傾斜を施されている。足底支持部２ａは、足底の凹凸形状に合わせて形状加工されているため、着用者に対して足底とのフィット感を与えることができる。
また、台２は、板厚方向に貫通した貫通孔２ｂを備え、緒６の前緒を挿入されている。台２は、足底支持部２ａの設けられた面の方に緒６を取り付けられており、緒６の前緒を貫通孔２ｂに挿入した状態で固定され、台２の側面部分に緒６の後緒を固定されている。
また、台２は、足底支持部２ａの裏面に歯３である前足部支持部３ａ、踵支持部３ｂ、及び、連続部３ｃを形成され、底部４を取り付けられている。台２は、前足部支持部３ａ、踵支持部３ｂ、及び、連続部３ｃと一体的に形成されている。なお、本実施例の履物１は、台２と歯３と一体的に形成する場合を具体的に説明するが、台２と歯３を別部材として構成し、互いに接続することで台２と歯３とを一体的に構成してもよい。
【００１５】
図２は、図１に例示する台２及び歯３の構成を例示する図である。
図２（ａ）は、履物１における台２及び歯３の外側を例示する正面図であり、図２（ｂ）は、履物１における台２及び歯３の底面を例示する底面図であり、図２（ｃ）は、履物１における台２及び歯３の内側を例示する背面図である。
【００１６】
［歯３］
図２に例示するように、歯３は、前足部支持部３ａ、踵支持部３ｂ、及び、連続部３ｃにより構成されている。歯３は、台２のうち足底支持部２ａの裏面に設けられ、台２と一体的に形成されている。
（前足部支持部３ａ）
前足部支持部３ａは、本発明に係る前足部支持部の一例である。
図２（ａ）〜図２（ｃ）に例示するように、前足部支持部３ａは、台２における足底支持部２ａの裏面側に、前足部近傍を支持する位置に突出して形成されている。
図２（ａ）及び図２（ｂ）に例示するように、前足部支持部３ａは、前足部支持部３ａと、踵支持部３ｂと、連続部３ｃと連続する接地面を形成している。具体的には、前足部支持部３ａと連続部３ｃとの接続領域のうち、前足部支持部３ａの接地面と、連続部３ｃの接地面との接続領域Ｙ部において、前足部支持部３ａの接地面は、連続部３ｃの接地面と連続し滑らかな接地面となるよう形成されている。つまり、前足部支持部３ａは、連続部３ｃと連続する滑らかな接地面を形成している。
また、前足部支持部３ａは、前足部支持部３ａ、踵支持部３ｂ、及び、連続部３ｃの形成する接地面が滑らかな凸曲面となるよう形成されている。具体的には、図２（ｃ）に例示するように、前足部支持部３ａは、前足部支持部３ａの接地面のうち、台２の爪先先端である爪先端部２ｔに向かって緩やかに湾曲する接地面である湾曲接地面Ｓ１を含んでいる。湾曲接地面Ｓ１は、連続部３ｃから爪先端部２ｔに向かって緩やかな上り曲面となるよう形成されている。
【００１７】
（踵支持部３ｂ）
踵支持部３ｂは、本発明に係る踵支持部の一例である。
図２（ａ）〜図２（ｃ）に例示するように、踵支持部３ｂは、台２における足底支持部２ａの裏面側に、踵近傍を支持する位置に突出して形成されている。
図２（ａ）及び図２（ｂ）に例示するように、踵支持部３ｂは、前足部支持部３ａと踵支持部３ｂと、連続部３ｃと連続する接地面を形成している。具体的には、踵支持部３ｂと連続部３ｃとの接続領域のうち、踵支持部３ｂの接地面と、連続部３ｃの接地面との接続領域Ｚ部において、踵支持部３ｂの接地面は、連続部３ｃの接地面と連続し滑らかな接地面となるよう形成されている。つまり、踵支持部３ｂは、連続部３ｃと連続する滑らかな接地面を形成している。
また、踵支持部３ｂは、前足部支持部３ａ、踵支持部３ｂ、及び、連続部３ｃの形成する接地面が滑らかな凸曲面となるよう形成されている。具体的には、図２（ｃ）に例示するように、踵支持部３ｂは、踵支持部３ｂの接地面のうち、台２の踵先端である踵端部２ｈに向かって緩やかに湾曲する接地面である湾曲接地面Ｓ２を含んでいる。湾曲接地面Ｓ２は、連続部３ｃから踵端部２ｈに向かって緩やかな上り曲面となるよう形成されている。
【００１８】
（連続部３ｃ）
連続部３ｃは、本発明に係る接続部の一例である。
図２（ａ）〜図２（ｃ）に例示するように、連続部３ｃは、台２における足底支持部２ａの裏面側に突出して設けられている。連続部３ｃは、前足部支持部３ａと踵支持部３ｂとの間における領域の一部から突出して形成されている。接続部３は、前足部支持部３ａと踵支持部３ｂとの間における領域において、台２の一部から突出して形成されることにより、履物１の下駄としての外観を損ねることなく形成されている。そのため、連続部３ｃは、台２の足幅方向において、連続部３ｃの接地面の幅寸法を、前足部支持部３ａの接地面の幅寸法、及び、踵支持部３ｂの接地面の幅寸法より狭く形成されている。
なお、便器上、前足部支持部３ａと踵支持部３ｂとの間の領域において、足底支持部２ａに支持される足底の外側にあたる部分、つまり、連続部３ｃから足底基部２の外側にあたる部分を外土踏まず部２ｆとし、連続部３ｃから足底基部２の内側にあたる部分を内土踏まず部２ｇとする。
また、図２（ａ）及び図２（ｂ）に例示するように、連続部３ｃは、前足部支持部３ａと踵支持部３ｂと連続部３ｃと連続する接地面を形成している。具体的には、連続部３ｃは、接続領域Ｙ部において、前足部支持部３ａと連続する接地面を形成し、接続領域Ｚ部において、踵支持部３ｂと連続する接地面を形成している。
また、図２（ａ）及び図２（ｃ）に例示するように、連続部３ｃは、前足部支持部３ａ、踵支持部３ｂ、及び、連続部３ｃの形成する接地面が滑らかな凸曲面となるよう形成されている。連続部３ｃは、前足部支持部３ａと踵支持部３ｂと連続部３ｃが形成する凸曲面状に連続する接地面のうち、連続部３ｃの接地面部分が凸となる位置に形成されている。
また、連続部３ｃは、略平坦な形状に接地面を形成されている。連続部３ｃは、接地面を略平坦に形成されることにより、着用者が直立姿勢を取った場合に、連続部３ｃの接地面にて安定した状態で直立させることが期待できる。
【００１９】
また、図２（ｂ）に例示するように、連続部３ｃは、足底基部２ａの幅方向のうち、足底基部２ａに支持される足底の外側（小趾側）となる位置に設けられている。具体的には、連続部３ｃは、例えば、前足部支持部３ａの幅寸法Ａの中心位置Ｍと、踵支持部３ｂの幅寸法Ｃの中心位置Ｎとを通る中心線Ｋを設けた場合、中心線Ｋより外土踏まず部２ｆ側となるように配置されている。連続部３ｃは、中心線Ｋより外土踏まず部２ｆ側となるように配置することにより、連続部３ｃで着用者の歩行時における体重を支えると共に、外土踏まず部２ｆ側に体重をかけるよう誘導することができるため、あおり歩行動作を促すことが期待できる。
なお、前足部支持部３ａは、接地面の幅寸法Ａが例えば、９ｃｍ〜１０ｃｍの大きさであり、望ましくは９.３ｃｍ〜９．７ｃｍの大きさである。また、踵支持部３ｂは、接地面の幅寸法Ｃが例えば、６ｃｍ〜７ｃｍの大きさであり、望ましくは６.３ｃｍ〜６．７ｃｍの大きさである。また、連続部３ｃは、接地面の幅寸法Ｂが例えば、１ｃｍ〜２ｃｍの大きさであり、望ましくは１.３〜１.７ｃｍの大きさである。つまり、連続部３ｃは、前足部支持部３ａの１/５〜１/７の大きさであり、言い換えると、連続部３ｃは、踵支持部３ｂの１/３〜１/５の大きさである。また、連続部３ｃは、足長寸法の大きさに関わらず同じ接地面の幅寸法Ｂの大きさに固定されてもよい。
なお、上記寸法Ａ、寸法Ｂ、及び、寸法Ｃは、台２の足長寸法が約２５ｃｍの履物１である場合を具体的に例示している。
【００２０】
このように、歯３は、３つの歯である前足部支持部３ａ、踵支持部３ｂ、及び、連続部３ｃにより構成されている。歯３は、前足部支持部３ａ、踵支持部３ｂ、及び、連続部３ｃの形成する接地面が連続する接地面を形成し、かつ、足長方向に滑らかな凸曲面となるよう形成されることにより、歩行時において、地面に対して踵支持部３ｂから前足部支持部３ａにかけて滑らかに回転させて歩行するいわゆる、ローリング歩行を行うよう促すことが期待できる。また、歯３は、連続部３ｃを中心線Ｋより土踏まず部２ｆ側となる位置に配置することにより、外土踏まず部２ｆ側に体重をかけるよう誘導することができるため、あおり歩行動作を促すことが期待できる。
【００２１】
［底部４］
図１に例示するように、底部４は、歯３に取り付けられている。底部４は、弾力のある素材で構成され、例えば、合成樹脂素材である。底部４は、具体的には、ゴム素材で構成されている。本例の履物１は、底部４を備えているが、省略することもできる。
【００２２】
［緒６］
図１に例示するように、緒６は、台２の足底支持部２ａを備える面に取り付けられ、着用者の足を足底支持部２ａに密着するように固定するためのバンドである。緒６は、例えば、布や合成樹脂で構成されている。また、緒６は、前緒と後緒とで構成され、前緒を台２の貫通孔２ｂに挿入されて固定され、後緒を台２の側面部分にピン又はリベット等により固定されている。
このように、履物１は、履物１は、台２、歯３、底部４、及び、緒６を含み構成されている。
【００２３】
次に、本実施形態に係る作用を説明する。
図３は、歩行時における履物１のあおり歩行動作を説明する図である。
図３（ａ）は、履物１の踵支持部３ｂ近傍を地面に接地した状態を例示する図であり、図３（ｂ）は、履物１の連続部３ｃ近傍を地面に接地した状態を例示する図である。また、図３（ｃ）は、履物１の前足部支持部３ａ近傍を地面に接地した状態を例示する図である。
図３に例示するように、着用者は、歩行時において、踵支持部３ｂから地面に着地し、着地した踵支持部３ｂから前足部支持部３ａに体重移動し、体重移動した前足部支持部３ａを離地させる歩行動作を行う。
具体的には、図３（ａ）に例示するように、着用者は、履物１の踵支持部３ｂを地面に着地させ、地面に着地させた踵支持部３ｂから連続部３ｃの方向に体重を移動させる。
着用者は、踵支持部３ｂの接地面のうち、踵端部２ｈから連続部３ｃに向かって緩やかな下り曲面に形成された湾曲接地面Ｓ２により、踵端部２ｈから連続部３ｃに向かって滑らかに体重移動することができる。
着用者は、踵端部２ｈから連続部３ｃに向かって体重移動したあと、図３（ｂ）に例示するよう連続部３ｃ近傍を地面に接地させる。
【００２４】
図３（ｂ）に例示するように、着用者は、履物１の踵支持部３ｂから連続部３ｃに体重を移動させる。
着用者は、踵支持部３ｂと連続部３ｃとにより形成される接地面が滑らかに連続する接地面を形成しているため、踵支持部３ｂから連続部３ｃに滑らかに体重を移動させることができる。このとき、連続部３ｃは、中心線Ｋより外土踏まず部２ｆ側となる位置に配置されているため、外土踏まず部２ｆ側に体重をかけるよう誘導する。
着用者は、連続部３ｃから前足部支持部３ａに向かって体重移動したあと、図３（ｃ）に例示するよう前足部支持部３ａ近傍を地面に接地させる。
【００２５】
図３（ｃ）に例示するように、着用者は、履物１の連続部３ｃから前足部支持部３ａに体重移動し、体重移動したあとに前足部支持部３ａを地面から離地する。
着用者は、連続部３ｃから前足部支持部３ａに体重を移行させる。
着用者は、連続部３ｃと前足部支持部３ａとにより形成される接地面が滑らかに連続する接地面を形成しているため、連続部３ｃから前足部支持部３ａに滑らかに体重を移動させることができる。
次に、着用者は、前足部支持部３ａを地面から離地する。
着用者は、前足部支持部３ａのうち、連続部３ｃから爪先端部２ｔに向かって緩やかな上り曲面に形成された湾曲接地面Ｓ２により、連続部３ｃから爪先端部２ｔに向かって滑らかに体重移動することができる。
着用者は、爪先端部２ｔに向かって体重移動したあと、地面を蹴り出すことにより、前足部支持部３ａを地面から離地させる。
このように、着用者は、履物１を履いた状態で歩行動作を行う。着用者は、前足部支持部３ａと踵支持部３ｂと連続部３ｃとが滑らかに連続し、かつ、凸曲面に形成された接地面により、足部支持部３ａと踵支持部３ｂと連続部３ｃとの形成する接触面をローリングさせてあおり歩行を効率的に行うことができる。
【００２６】
次に、図３（ａ）〜図３（ｃ）における歯３にかかる地面との接地する領域、及び、足底支持部２ａに支持された足底にかかる体重の荷重領域を説明する。
図４は、図３（ａ）における履物１の踵支持部３ｂ近傍の接地面領域、及び、足底支持部２ａに支持された足底にかかる荷重領域を例示する図である。
図４（ａ）は、履物１の踵支持部３ｂ近傍の接地面領域を例示する図であり、図４（ｂ）は、底支持部２ａに支持された足底にかかる荷重領域を例示する図である。
【００２７】
図４（ａ）に例示するように、図３（ａ）における履物１の踵支持部３ｂを地面に着地させ体重移動する状態において、踵支持部３ｂは、踵支持部３ｂの接地面のうち、踵端部２ｈから連続部３ｃに向かって緩やかな下り曲面に形成された領域である湾曲接地面Ｓ２が地面に接地している。
このとき、図４（ｂ）に例示するように、着用者は、台２に支持された足底のうち、踵部分近傍となる領域に体重を加えている。
【００２８】
図５は、図３（ｂ）における履物１の連続部３ｃ近傍の接地面領域、及び、足底支持部２ａに支持された足底にかかる荷重位置を例示する図である。
また、図５（ａ）は、履物１の連続部３ｃ近傍の接地面領域を例示する図であり、図４（ｂ）は、底支持部２ａに支持された足底にかかる荷重位置を例示する図である。
【００２９】
図５（ａ）に例示するように、図３（ｂ）における履物１の踵支持部３ｂから連続部３ｃに体重移動した状態において、連続部３ｃは、接地面が地面に接触している。また、踵支持部３ｂは、連続部３ｃと滑らかに連続する接地面のうち、湾曲していない領域の接地面が地面に接地している。また、前足部支持部３ａは、連続部３ｃと滑らかに連続する接地面のうち、湾曲していない領域の接地面が地面に接触している。
このとき、図５（ｂ）に例示するように、着用者は、台２に支持された足底のうち、踵部分、外土踏まず部分、及び、前足部（爪先）部分を含む領域に体重を加えている。このように、図５に例示するように、連続部３ｃは、中心線Ｋより外土踏まず部２ｆ側となる位置に配置されているため、着用者は、外土踏まず部２ｆ側にて体重を支えることができる。
【００３０】
図６は、図３（ｃ）における履物１の前足部支持部３ａ近傍の接地面領域、及び足底支持部２ａに支持された足底にかかる荷重位置を例示する図である。
図６（ａ）は、履物１の前足部支持部３ａ近傍の接地面領域を例示する図であり、図６（ｂ）は、底支持部２ａに支持された足底にかかる荷重位置を例示する図である。
【００３１】
図６（ａ）に例示するように、図３（ｃ）における履物１の連続部３ｃから前足部支持部３ａに体重移動し、地面を蹴り出す前の状態において、前足部支持部３ａは、前足部支持部３ａの接地面のうち、連続部３ｃから爪先端部２ｔに向かって緩やかな上り曲面に形成された領域である湾曲接地面Ｓ１が地面に接地している。
このとき、図６（ｂ）に例示するように、着用者は、台２に支持された足底のうち、前足部（爪先）部分近傍となる領域に体重を加えている。
このように、図３〜図６に例示するように、履物１は、前足部支持部３ａ、踵支持部３ｂ、及び、連続部３ｃが連続する接地面を形成し、その接地面形状が滑らかな凸曲面であることより、着用者の歩行時において、踵部分、外土踏まず部分、及び、前足部部分と順番に体重を移動させるローリング歩行を行うことができる。
また、履物１は、前足部支持部３ａの幅寸法Ａの中心位置Ｍと、踵支持部３ｂの幅寸法Ｃの中心位置Ｎとを通る中心線Ｋより外土踏まず部２ｆ側となる位置に連続部３ｃを配置することにより、着用者は、外土踏まず部２ｆ側にて体重を支えることができる。
【００３２】
図７は、図３における歩行時の体重移動の軌跡を説明する図である。
また、図７に例示するように、連続部３ｃは、前足部支持部３ａの幅寸法Ａの中心位置Ｍと、踵支持部３ｂの幅寸法Ｃの中心位置Ｎとを通る中心線Ｋより外土踏まず部２ｆ側となる位置、言い換えると、内土踏まず部２ｇの領域より外土踏まず部２ｆの領域を狭くする位置に形成されており、中心線Ｋより外側（小指側）となる位置に形成されている。連続部３ｃは、中心線Ｋより外側（小指側）となる位置に形成することにより、着用者の歩行時における体重移動軌跡線に示すように、体重を連続部３ｃの形成された位置にかけることができるため、あおり歩行動作を効率的に促すことが期待できる。
【００３３】
以上説明したように、本実施形態に係る履物１よれば、着用者の歩行時において、あおり歩行を行うことができる。
また、履物１は、台２の足底支持部２ａの裏面側に前足部支持部３ａ、踵支持部３ｂ、及び、連続部３ｃを突出して一体的に形成し、これらが連続する接地面を形成することにより、歩行時における踵支持部３ｂから前足部支持部３ａに体重移動を滑らかにすることができるため、例えば、互いに歯が離間する２歯構成の下駄で歩行する場合にみられるカクカク感や歯の着地音を防ぐことが期待できる。
また、履物１は、台２、前足部支持部３ａ、踵支持部３ｂ、及び、連続部３ｃを木材で一体的に形成しているため、下駄特有の外観を損なわずに形成することができ、かつ、カクカク感や歯の着地音を防ぐことが期待できる。
【００３４】
また、履物１は、前足部支持部３ａ、踵支持部３ｂ、及び、連続部３ｃの形成する接地面が滑らかな凸曲面状に形成されているため、着用者に対して、踵支持部３ｂから前足部支持部３ａにかけての体重移動を滑らに行ういわゆるローリング歩行を促すことが期待できる。
また、履物１は、連続部３ｃを台２の幅方向のうち、台２の中心より外側となる位置に形成することにより、連続部３ｃの台２の中心より外側に形成された連続部３ｃに体重かけることができるため、あおり歩行動作を効率的に促すことが期待できる。
以上、本発明に係る実施形態について説明したが、これらに限定されるものではなく、発明の趣旨を逸脱しない範囲内において、種々の変更、追加等が可能である。
【符号の説明】
【００３５】
１        履物
２        台
２ａ      足底支持部
２ｂ      貫通孔
２ｆ      外土踏まず部
２ｇ      内土踏まず部
２ｔ      爪先端部
２ｈ      踵端部
３        歯
３ａ      前足部支持部
３ｂ      踵支持部
３ｃ      連続部
４        底部
６        緒
【図１】
2016137022.tif 000003
【図２】
2016137022.tif 000004
【図３】
2016137022.tif 000005
【図４】
2016137022.tif 000006
【図５】
2016137022.tif 000007
【図６】
2016137022.tif 000008
【図７】
2016137022.tif 000009